【事件の表示】
　平成　９年特許願第　２８２９０号「データ通信方法およびデータ通信システム」拒絶査定不服審判事件〔平成１０年　８月１１日出願公開、特開平１０−２１４２４３〕について、次のとおり審決する。
【結　論】
　本件審判の請求は、成り立たない。
【理　由】
第１．手続の経緯 
　本願は、平成９年１月２９日の出願であって、平成１８年５月８日付けで拒絶査定がなされ、これに対し、平成１８年６月１４日に拒絶査定不服審判が請求されるとともに、平成１８年７月１２日付けで手続補正がされたものである。
　
　
第２．平成１８年７月１２日付けの手続補正についての補正却下の決定
［補正却下の決定の結論］
　平成１８年７月１２日付けの手続補正を却下する。
　
　
［理由］
１．補正内容
　本件補正は、補正前の特許請求の範囲（平成１８年４月１４日付けで補正）の記載：　
　
「【請求項１７】　プリンタ・コントローラとこのプリンタ・コントローラによって制御されるプリンタとが通信路を介してデータ通信を行なうデータ通信システムを構成するプリンタにおいて，
　ドライバ・ソフトウェアを記憶領域に記憶可能なメモリを備え，
　このメモリの上記記憶領域に複数のドライバ・ソフトウェアが上記プリンタ・コントローラの制御にもとづいて読出し可能に記憶されており，
　上記メモリにはさらに，上記メモリの記憶領域に記憶されているドライバ・ソフトウェアのアドレスと，
　このドライバ・ソフトウェアを用いた制御が可能なコントローラに関する情報とが読出し可能に記憶されている，
　プリンタ。」を、
　
「【請求項１７】　プリンタ・コントローラとこのプリンタ・コントローラによって制御されるプリンタとが通信路を介してデータ通信を行なうデータ通信システムを構成するプリンタにおいて，
　ドライバ・ソフトウェアを記憶領域に記憶可能なメモリを備え，
　このメモリの上記記憶領域に複数のドライバ・ソフトウェアが上記プリンタ・コントローラの制御にもとづいて読出し可能に記憶されており，
　上記メモリにはさらに，上記メモリの記憶領域に記憶されているドライバ・ソフトウェアのアドレスと，
　このドライバ・ソフトウェアを用いた制御が可能なコントローラに関する情報と
して，対応オペレーティング・システム名およびバージョン番号
　プリンタ。」
　                                                
と補正することを含むものである。（なお、下線は補正箇所を表す。）　
　
　すなわち、本件補正は、補正前の請求項１７において、
　　
（ａ）「ドライバ・ソフトウェアを用いた制御が可能なコントローラに関する情報」を、「対応オペレーティング・システム名およびバージョン番号」と具体化すること
　　
を含むものである。
　
　
２．補正内容の検討
　補正事項（ａ）は、上記したように、補正前の「ドライバ・ソフトウェアを用いた制御が可能なコントローラに関する情報」を具体化することにより限定的に減縮するものであるから、本件補正は、特許請求の範囲の減縮を目的とするものである。
　そこで、本件補正後の請求項１７に係る発明（以下、「補正発明」という。）が、特許出願の際に独立して特許を受けることができるものであるかについて、以下に検討する。
　
　
３．刊行物記載の発明
　原査定の拒絶の理由に引用された刊行物１（特開平８−１６１２５０号公報）には、情報処理装置及びプリンタについて、図面とともに以下の記載がある。
　
（ａ）段落番号【００３０】
「　さらに、本実施例では、ホストコンピュータ側には様々なプリンタなどの出力装置に対応するプリンタドライバをＲＯＭ３あるいは外部メモリ１１に備えており、ホストコンピュータを制御するオペレーティングシステム（ＯＳ）は、ＲＡＭ２上にロードして実行することにより対応するプリンタなどの出力装置を制御するものとする。」
　
（ｂ）段落番号【００３１】
「　例えばホストコンピュータ上のアプリケーションプログラムなどを用いて作成された文書などを印刷する場合、ＲＡＭ２上にロードしたプリンタドライバに種々のパラメータを与えることにより、文書の印刷に必要なプリンタ制御コマンドが生成され、生成されたプリンタ制御コマンドをインターフェース２１を介してプリンタヘ転送することにより印刷が行なわれる。」
　
（ｃ）段落番号【００３６】
「　図２は、プリンタ１５００の構成をより詳細に示している。図２において、ＲＯＭ１３あるいは外部メモリ１４には、ＯＳによって異なるプリンタドライバが格納してある。これらのプリンタドライバは、市場においてメジャーな種々のＯＳに対応したものをできるだけ数多く用意し、ＲＯＭ１３あるいは外部メモリ１４に格納しておくのがよい。図２では、ＲＯＭ１３、外部メモリ１４の双方に複数のＯＳのためのプリンタドライバを格納している。」
　
（ｄ）段落番号【００３７】
「　本発明では、プリンタが接続されているホストコンピュータを制御しているＯＳを双方向性インターフェース２１を介して特定し、そのＯＳ用のプリンタドライバをＯＳの指示により転送可能となっている。」
　
（ｅ）段落番号【００４２】
「　図４は、図３のステップＳ３５におけるプリンタドライバ転送処理手順を示すフローチャートである。この処理はプリンタのＣＰＵ１２が実行する。ステップＳ３４で判定したプリンタドライバ送信命令には、ＯＳを識別できる識別データが含まれているものとし、ステップＳ４１ではこのＯＳの識別データを取り出す。」
　
（ｆ）段落番号【００４３】
「　そしてステップＳ４２では識別データで指定されたＯＳ用のプリンタドライバがＲＯＭ１３あるいは外部メモリ１４に存在するか調べ、そのプリンタドライバが存在しない場合（ステップＳ４３）にはホストコンピュータにエラーを示すデータを送信する。指定されたプリンタドライバが存在する場合には、ＲＯＭ１３あるいは外部メモリ１４からステップＳ４１で識別したＯＳに対応したプリンタドライバをＲＡＭ１９ヘ転送し（ステップＳ４４、Ｓ４５）、双方向性インターフェース２１を介してホストコンピュータ３０００ヘ転送する。」
　　
　したがって、刊行物１には次の発明（以下、「刊行物１記載の発明」という。）が記載されていると認められる。
　
「　ホストコンピュータ側には様々なプリンタなどの出力装置に対応するプリンタドライバをＲＯＭ（３）あるいは外部メモリ（１１）に備えており、ホストコンピュータを制御するオペレーティングシステム（ＯＳ）は、ＲＡＭ（２）上にロードして実行することにより対応するプリンタなどの出力装置を制御するものであり、
　ホストコンピュータ上のアプリケーションプログラムなどを用いて作成された文書などを印刷する場合、ＲＡＭ（２）上にロードしたプリンタドライバに種々のパラメータを与えることにより、文書の印刷に必要なプリンタ制御コマンドが生成され、生成されたプリンタ制御コマンドをインターフェース（２１）を介してプリンタヘ転送することにより印刷が行なわれ、
　プリンタ（１５００）のＲＯＭ（１３）には、ＯＳによって異なるプリンタドライバが格納してあり、これらのプリンタドライバは、市場においてメジャーな種々のＯＳに対応したものをできるだけ数多く用意し、ＲＯＭ（１３）に格納しておき、
　プリンタが接続されているホストコンピュータを制御しているＯＳを双方向性インターフェース（２１）を介して特定し、そのＯＳ用のプリンタドライバをＯＳの指示により転送可能となっているプリンタであって、
　プリンタドライバ転送処理手順をプリンタのＣＰＵ（１２）が実行し、ステップＳ３４で判定したプリンタドライバ送信命令には、ＯＳを識別できる識別データが含まれているものとし、ステップＳ４１ではこのＯＳの識別データを取り出し、
　ステップＳ４２では識別データで指定されたＯＳ用のプリンタドライバがＲＯＭ（１３）に存在するか調べ、そのプリンタドライバが存在しない場合（ステップＳ４３）にはホストコンピュータにエラーを示すデータを送信し、指定されたプリンタドライバが存在する場合には、ＲＯＭ（１３）からステップＳ４１で識別したＯＳに対応したプリンタドライバをＲＡＭ（１９）ヘ転送し（ステップＳ４４、Ｓ４５）、双方向性インターフェース（２１）を介してホストコンピュータ３０００ヘ転送する
　プリンタ。」
　
　
　原査定の拒絶の理由に引用された刊行物２（特開平８−１６１２５２号公報）には、図面とともに以下の記載がある。
　
（ｇ）段落番号【００３９】
「　図５は、専用ソフトウェア２０６を計算機本体３０１にインストールする手段の一例を表す図である。音声合成装置１０１の装着が完了すると、計算機本体３０１のオペレーティングシステム３０３は、計算機本体３０１にインストールするソフトウェアの有無を音声合成制御部１０２に尋ねる。音声合成制御部１０２は、専用ソフトウエア２０６が格納してあるＲＯＭ２０４のアドレス情報と専用ソフトウエア２０６のメモリ容量とを、計算機本体３０１のオペレーティングシステム３０３に返す。」
　
（ｈ）段落番号【００４０】
「　次に、計算機本体３０１のオペレーティングシステム３０３は、アドレス情報を基に、音声合成装置１０１中のＲＯＭ２０４に直接アクセスを行う。計算機本体３０１のオペレーティングシステム３０３は、ＲＯＭ２０４中の該当するアドレスに格納されている専用ソフトウエア２０６を、計算機本体３０１のＲＡＭ４０３に書き込む。専用ソフトウエア２０６の書き込みが完了すると、計算機本体３０１のオペレーティングシステム３０３に書き込み終了の信号が送られ、専用ソフトウエア２０６のインストールが終了する。」
　
　刊行物３（特開平８−１０１８０３号公報）には、図面とともに以下の記載がある。
　
（ｉ）段落番号【００１０】
「　周辺装置３内の記憶装置６に、周辺装置３の接続される情報処理装置であるところのコンピュータ本体１が、周辺装置３を利用するために必要なデバイスドライバプログラムをもあらかじめ格納しておく。コンピュータ本体１は、周辺装置３がインターフェース２を介して接続された際、操作者が行なうデバイスドライバプログラムのインストール（ソフトの組込作業）指示によって、あるいはコンピュータ本体１の電源の投入後のシステム立ち上げ時など適当なタイミングに、コンピュータ本体１が自動的に起動することによって、周辺装置３の記憶装置６からデバイスドライバプログラムを読み出す。そして、コンピュータ本体１は、この読み出したデバイスドライバプログラムを用いて周辺装置３を利用する。」　
　　
　刊行物４（特開平８−２６３４０９号公報）には、図面とともに以下の記載がある。
　
（ｊ）段落番号【００１５】
「　環境探索処理部２０７では、本端末１０１のハードウェア（ＣＰＵ、主記憶およびハードディスクメモリ容量など）およびソフトウェア（ＯＳバージョン、アプリケーション構成など）の環境条件をチェックし（これらは一般にＯＳが管理している）、この結果をエージェント処理部２０６に通知し、エージェント処理部２０６は通信制御部２０２、網インタフェース部２０１を介して通信サーバ１０４に報告する」
　
　
４．一致点・相違点
　
　刊行物１記載の発明のホストコンピュータを制御するオペレーティングシステム（ＯＳ）は、プリンタドライバをＲＡＭ（２）上にロードして実行することにより対応するプリンタなどの出力装置を制御するから、刊行物１記載の発明の「ホストコンピュータ」及び「プリンタ」は、補正発明の「プリンタ・コントローラ」及び「このプリンタ・コントローラによって制御されるプリンタ」に、それぞれ相当する。
　
　刊行物１記載の発明では、ホストコンピュータ上のアプリケーションプログラムなどを用いて作成された文書などを印刷する場合、ＲＡＭ（２）上にロードしたプリンタドライバに種々のパラメータを与えることにより、文書の印刷に必要なプリンタ制御コマンドが生成され、生成されたプリンタ制御コマンドをインターフェース（２１）を介してプリンタヘ転送することにより印刷が行なわれるから、刊行物１記載の発明では、ホストコンピュータとプリンタとが、インターフェース（２１）を介してデータ通信を行っており、ホストコンピュータとプリンタとによりデータ通信システムが構成されている。
　したがって、刊行物１記載の発明の「インターフェース（２１）」が、補正発明の「通信路」に相当し、刊行物１記載の発明の「プリンタ」は、補正発明の「プリンタ・コントローラとこのプリンタ・コントローラによって制御されるプリンタとが通信路を介してデータ通信を行なうデータ通信システムを構成するプリンタ」であるといえる。
　
　刊行物１記載の発明のプリンタ（１５００）のＲＯＭ（１３）には、ＯＳによって異なる、市場においてメジャーな種々のＯＳに対応したプリンタドライバが数多く格納してあるから、刊行物１記載の発明の「プリンタドライバ」及び「プリンタ（１５００）のＲＯＭ（１３）」は、それぞれ、補正発明の「ドライバ・ソフトウェア」及び「ドライバ・ソフトウェアを記憶領域に記憶可能なメモリ」に相当する。
　
　刊行物１記載の発明では、プリンタドライバ送信命令には、ＯＳを識別できる識別データが含まれており、プリンタのＣＰＵ（１２）は、ステップＳ４１でこのＯＳの識別データを取り出し、ステップＳ４２では識別データで指定されたＯＳ用のプリンタドライバがＲＯＭ（１３）に存在するか調べているから、プリンタ（１５００）のＲＯＭ（１３）には、「各プリンタドライバが、ホストコンピュータを制御しているＯＳを識別できる識別データで指定されたＯＳ用であるか調べることができる情報」が記憶されていると考えるのが相当である。この「各プリンタドライバが、ホストコンピュータを制御しているＯＳを識別できる識別データで指定されたＯＳ用であるか調べることができる情報」は、補正発明の「このドライバ・ソフトウェアを用いた制御が可能なコントローラに関する情報」に相当する。また、この「各プリンタドライバが、ホストコンピュータを制御しているＯＳを識別できる識別データで指定されたＯＳ用であるか調べることができる情報」が読み出し可能であることは自明である。
　
　
　したがって、以上の点を考慮すれば、補正発明と刊行物１記載の発明との一致点・相違点は、次のとおりである。
　
[一致点]
　プリンタ・コントローラとこのプリンタ・コントローラによって制御されるプリンタとが通信路を介してデータ通信を行なうデータ通信システムを構成するプリンタにおいて，
　ドライバ・ソフトウェアを記憶領域に記憶可能なメモリを備え，
　このメモリの上記記憶領域に複数のドライバ・ソフトウェアが読出し可能に記憶されており，
　上記メモリにはさらに，　
このドライバ・ソフトウェアを用いた制御が可能なコントローラに関する情報が読出し可能に記憶されている，
　プリンタ。」である点。
　
　
[相違点]
（ア）補正発明では、メモリの上記記憶領域に複数のドライバ・ソフトウェアが上記プリンタ・コントローラの制御にもとづいて読出し可能に記憶されているのに対して、刊行物１記載の発明では、ＲＯＭ（１３）に格納されている、市場においてメジャーな種々のＯＳに対応したプリンタドライバは、プリンタのＣＰＵ（１２）の制御にもとづいて読出し可能に記憶されている点。
　
（イ）補正発明では、上記メモリの記憶領域にドライバ・ソフトウェアのアドレスが記憶されているのに対して、刊行物１記載の発明では、プリンタ（１５００）のＲＯＭ（１３）に、種々のＯＳに対応したプリンタドライバのアドレスが記憶されていることは明記されていない点。
　
（ウ）補正発明では、ドライバ・ソフトウェアを用いた制御が可能なコントローラに関する情報として，対応オペレーティング・システム名およびバージョン番号が読出し可能に記憶されているのに対して、刊行物１記載の発明では、プリンタドライバを用いた制御が可能なホストコンピュータに関する情報として、「該プリンタドライバが、ホストコンピュータを制御しているＯＳを識別できる識別データで指定されたＯＳ用であるか調べることができる情報」が読出し可能に記憶されている点。
　
　
５．相違点の検討
　
（ア）刊行物２の段落番号【００４０】に「次に、
計算機本体３０１のオペレーティングシステム３０３は、
ＲＯＭ２０４に直接アクセスを行う。
　また、刊行物３の段落番号【００１０】に「周辺装置３内の記憶装置６に、周辺装置３の接続される情報処理装置であるところのコンピュータ本体１が、周辺装置３を利用するために必要なデバイスドライバプログラムをもあらかじめ格納しておく。
コンピュータ本体１は、
周辺装置３の記憶装置６からデバイスドライバプログラムを読み出す。
　「周辺装置内の記憶装置に格納されている、周辺装置を利用するために必要なデバイスドライバプログラムを、周辺装置をコントロールするコンピュータの制御にもとづいて読み出すこと」は周知である。
　したがって、刊行物１記載の発明において、「ＲＯＭ（１３）に格納されている、市場においてメジャーな種々のＯＳに対応したプリンタドライバを、ホストコンピュータの制御にもとづいて読出し可能に記憶すること」は、周知技術から容易に想到できたことである。
　
（イ）刊行物２の段落番号【００３９】に「図５は、専用ソフトウェア２０６を計算機本体３０１にインストールする手段の一例を表す図である。音声合成装置１０１の装着が完了すると、計算機本体３０１のオペレーティングシステム３０３は、計算機本体３０１にインストールするソフトウェアの有無を音声合成制御部１０２に尋ねる。音声合成制御部１０２は、専用ソフトウエア２０６が格納してあるＲＯＭ２０４のアドレス情報と専用ソフトウエア２０６のメモリ容量とを、計算機本体３０１のオペレーティングシステム３０３に返す。」と記載されているように、「記憶装置にソフトウェアを格納するときには、ソフトウェアのアドレスも記憶装置に記憶しておくこと」は、周知である。
　したがって、刊行物１記載の発明において、「ＲＯＭ（１３）に、種々のＯＳに対応したプリンタドライバ自体および種々のＯＳに対応したプリンタドライバのアドレスを読み出し可能に記憶すること」は、周知技術から容易に想到できたことである。
　
（ウ）刊行物４の段落番号【００１５】に「環境探索処理部２０７では、本端末１０１のハードウェア（ＣＰＵ、主記憶およびハードディスクメモリ容量など）および
ソフトウェア（ＯＳバージョン、
　刊行物１記載の発明でプリンタ（１５００）のＲＯＭ（１３）に記憶されていると考えられる「各プリンタドライバが、ホストコンピュータを制御しているＯＳを識別できる識別データで指定されたＯＳ用であるか調べることができる情報」は、各プリンタドライバが対応しているＯＳを特定する情報であるから、この「各プリンタドライバが、ホストコンピュータを制御しているＯＳを識別できる識別データで指定されたＯＳ用であるか調べることができる情報」として「各プリンタドライバが対応しているＯＳ名及びバージョン番号」を用いることは、容易に想到できたことである。
　
　補正発明の作用効果も、刊行物１に記載された発明及び周知技術から当業者が予測できる範囲のものである。　
　したがって、補正発明は、刊行物１に記載された発明及び周知技術に基づいて、当業者が容易に発明をすることができたものであるから、特許法第２９条２項の規定により特許出願の際独立して特許を受けることができない。
　
　
６．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３．本願発明について
　
１．本願発明
　平成１８年７月１２日付けの手続補正は、上記のとおり却下されたので、本願の請求項１７に係る発明（以下、「本願発明」という。）は、平成１８年４月１４日付けの手続補正書の請求項１７に記載された事項により特定される以下のとおりのものである。
　
「【請求項１７】　プリンタ・コントローラとこのプリンタ・コントローラによって制御されるプリンタとが通信路を介してデータ通信を行なうデータ通信システムを構成するプリンタにおいて，
　ドライバ・ソフトウェアを記憶領域に記憶可能なメモリを備え，
　このメモリの上記記憶領域に複数のドライバ・ソフトウェアが上記プリンタ・コントローラの制御にもとづいて読出し可能に記憶されており，
　上記メモリにはさらに，上記メモリの記憶領域に記憶されているドライバ・ソフトウェアのアドレスと，
　このドライバ・ソフトウェアを用いた制御が可能なコントローラに関する情報とが読出し可能に記憶されている，
　プリンタ。」
　
　
２．刊行物記載の発明
　刊行物及びその記載事項は、前記「第２．３．」に記載したとおりである。
　
　
３．対比
　本願発明は、前記「第２．」で検討した補正発明から「このドライバ・ソフトウェアを用いた制御が可能なコントローラに関する情報」の限定事項である「対応オペレーティング・システム名およびバージョン番号」との構成を省いたものである。
　そうすると、本願発明の構成要件をすべて含み、さらに他の構成要件を付加したものに相当する補正発明が、前記「２．５．」に記載したとおり、刊行物１に記載された発明及び周知技術に基づいて、当業者が容易に発明をすることができたものであるから、本願発明も同様の理由により、刊行物１に記載された発明及び周知技術に基づいて、当業者が容易に発明をすることができたものである。
　
　
４．むすび
　以上のとおり、本願発明は、刊行物１に記載された発明及び周知技術に基づいて、当業者が容易に発明をすることができたものであるから、特許法第２９条２項の規定により特許を受けることができない。
　したがって、本願の他の請求項に係る発明について検討するまでもなく本願は拒絶されるべきものである。 
　よって、結論のとおり審決する。